(57)【要約】【課題】中空構造物の断面形状が種々異なったり複雑である場合であっても、その中空構造物の中空室内に容易に配設することのできる中空構造物の中空室遮断具を提供する。【解決手段】中空構造物の中空室遮断具１は、外部加熱により発泡膨張する発泡性基材３と、発泡性基材３を中空室２３内に取り付けるためのホルダ体２を備えている。発泡性基材３は、その左端側の端部が右端側に向けて折り曲げられて屈曲状態とされている。発泡性基材３の左端部には、ホルダプレート４の略中央部に設けられた挿入孔６の上縁部６ａに係合して屈曲状態を維持するための爪部７が設けられている。中空室遮断具１が中空室２３内において加熱されると、爪部７が軟化あるいは溶融して挿入孔６の上縁部６ａに対する係合が外れる。これにより、発泡性基材３がほぼ真っ直ぐに広がって伸張状態に変化する。【選択図】　　　図１
2004144848.tif 000002
【特許請求の範囲】
【請求項１】
中空構造物の中空室内に配設されて該中空室を遮断する中空室遮断具であって、
外部加熱をきっかけとして屈曲状態から伸張状態へと変化する遮断部材を有し、前記遮断部材が屈曲状態である場合における前記中空室の遮断面積よりも、前記遮断部材が伸張状態である場合における前記中空室の遮断面積の方が大きくなるように構成された中空構造物の中空室遮断具。
【請求項２】
請求項１に記載の中空構造物の中空室遮断具であって、
遮断部材は、前記中空構造物の長手方向に対し略垂直に配設される合成樹脂製のプレート部材により構成され、そのプレート部材の一端が他端側に向けて折り曲げられることで屈曲状態とされていることを特徴とする中空構造物の中空室遮断具。
【請求項３】
請求項１または請求項２に記載の中空構造物の中空室遮断具であって、
遮断部材の少なくとも一部が外部加熱により発泡膨張する発泡性材料で形成されていることを特徴とする中空構造物の中空室遮断具。
【請求項４】
請求項１から請求項３のうちいずれか１項に記載の中空構造物の中空室遮断具であって、
遮断部材の少なくとも一部が形状記憶合金で形成されていることを特徴とする中空構造物の中空室遮断具。
【請求項５】
請求項１から請求項３のうちいずれか１項に記載の中空構造物の中空室遮断具であって、
遮断部材の少なくとも一部がバネ鋼で形成されていることを特徴とする中空構造物の中空室遮断具。
【発明の詳細な説明】
【０００１】
【発明の属する技術分野】
本発明は、中空構造物の中空室を遮断するための中空室遮断具に関する。
【０００２】
【従来の技術】
従来、車両ボディの中空パネル（ピラー、ロッカーパネル、ルーフサイドパネル、ホイールハウス等）のような中空構造物の中空室内を発泡体等で遮断し、該中空構造物の防音、補強等を行うための中空室遮断具として、例えば［特許文献１］に開示された中空構造物の中空室遮断具が知られている。
［特許文献１］に記載の中空室遮断具によれば、発泡性基材及びその発泡性基材を中空室内に保持する為のホルダ体がそれぞれ中空パネルの断面形状に対応した板状に形成されている。発泡性基材が外部加熱により発泡膨張すると、中空室の内周壁面とホルダ体の外周部との間の隙間が発泡体によって遮断される。
【０００３】
【特許文献１】
特開２００１−７９８４５
【０００４】
【発明が解決しようとする課題】
しかし、車両ボディのピラー、ロッカーパネル等の形状は、車種毎に、また各部分毎にその断面形状や大きさ等が異なる。したがって、中空パネルの断面形状に対応した板状の中空室遮断具を中空パネルの中空室内に配設するのが困難である場合も多い。また、例えば、車両のホイールハウスのような断面形状が複雑である中空パネルの場合には、その中空パネルの断面形状に対応した板状の中空室遮断具を配設した後に、インナパネル及びアウタパネルとの組み付けを行って中空パネルを完成するのが極めて困難であることが知られている。
【０００５】
本願発明はこのような問題に鑑みて創案されたものであり、中空構造物の断面形状が種々異なったり複雑である場合であっても、その中空構造物の中空室内に容易に配設することのできる中空構造物の中空室遮断具を提供することを課題とする。
【０００６】
【課題を解決するための手段】
前記課題を解決するために、特許請求の範囲の各請求項に記載した発明が構成される。
請求項１に記載の中空構造物の中空室遮断具は、外部加熱をきっかけとして屈曲状態から伸張状態へと変化する遮断部材を有し、前記遮断部材が屈曲状態である場合における前記中空室の遮断面積よりも、前記遮断部材が伸張状態である場合における前記中空室の遮断面積の方が大きくなるように構成されている。ここで、「屈曲状態」とあるのは、遮断部材の少なくとも一部が曲げられた状態のことを指している。「伸張状態」とあるのは、前記「屈曲状態」において曲げられていた遮断部材が真っ直ぐになるように復元した状態のことを指している。また、「遮断面積」とあるのは、中空構造物の中空室内に遮断部材が配設された状態において、その中空室の断面のうち遮断部材によって覆われている部分（遮断されている部分）の面積のことを指している。
【０００７】
したがって、請求項１に記載の中空室遮断具によれば、外部加熱をする前の屈曲状態においては、遮断部材が未だ中空構造物の断面形状に対応して広がった状態ではないので、その中空構造物の中空室内に容易に配設することができる。そして、外部加熱を行った後の伸張状態においては、遮断部材が中空構造物の断面形状に対応して広がった状態に変化しているので、中空構造物の中空室内を隙間のないように遮断することができる。
【０００８】
請求項２に記載の中空構造物の中空室遮断具では、遮断部材は、中空構造物の長手方向に対し略垂直に配設される合成樹脂製のプレート部材により構成され、そのプレート部材の一端が他端側に向けて折り曲げられることで屈曲状態とされている。したがって、合成樹脂製のプレート部材のもつ弾性的な復元力によって、そのプレート部材の一端が他端側に向けて折り曲げられた屈曲状態から、そのプレート部材が真っ直ぐに戻った伸張状態に変化させることができる。
【０００９】
請求項３に記載の中空構造物の中空室遮断具は、遮断部材の少なくとも一部が外部加熱により発泡膨張する発泡性材料で形成されている。したがって、外部加熱をきっかけとして遮断部材が伸張状態に変化し、さらに、その遮断部材の少なくとも一部が発泡膨張して発泡体になることにより、中空構造物の中空室内をより隙間のない状態で遮断することが可能である。
【００１０】
請求項４に記載の中空構造物の中空室遮断具は、遮断部材の少なくとも一部が形状記憶合金で形成されている。したがって、その形状記憶合金の復元力により、外部加熱をきっかけとして、遮断部材の少なくとも一部が折り曲げられた屈曲状態から、その遮断部材が真っ直ぐに戻った伸張状態に確実に変化させることが可能である。
【００１１】
請求項５に記載の中空構造物の中空室遮断具は、遮断部材の少なくとも一部がバネ鋼で形成されている。したがって、そのバネ鋼の弾性力により、外部加熱をきっかけとして、遮断部材の少なくとも一部が折り曲げられた屈曲状態から、その遮断部材が真っ直ぐに戻った伸張状態に確実に変化させることが可能である。
【００１２】
【発明の実施の形態】
以下、本発明の第１〜第３の実施の形態を図面に従って説明する。
第１〜第３の実施の形態における中空室遮断具は、例えば車両のボディピラー、ロッカーパネル、ルーフサイドパネル、ホイールハウス等の中空構造物の中空室内を遮断して、その中空構造物の制振、防音、補強等の効果を高めるための装置である。
【００１３】
〔第１の実施の形態〕
図１〜図６を参照しながら、以下、本発明の第１の実施の形態に係る中空構造物の中空室遮断具１について説明する。
ここで、図１は、発泡性基材３が折り曲げられて屈曲状態にある中空室遮断具１の外観を示す斜視図である。また、図２は、発泡性基材３が伸張状態にある中空室遮断具１の外観を示す斜視図である。図３は、図１に示す中空室遮断具１のＡ−Ａ線に基づく断面図である。図４は、図２に示す中空室遮断具１のＢ−Ｂ線に基づく断面図である。図５は、中空構造物２０の中空室２３内に配設された中空室遮断具１の正面図であり、発泡性基材３が屈曲状態にある中空室遮断具１を示している。図６は、中空構造物２０の中空室２３内に配設された中空室遮断具１の正面図であり、発泡性基材３が伸張状態にある中空室遮断具１を示している。
【００１４】
図１及び図２に示すように、本実施の形態に係る中空室遮断具１は、外部加熱により発泡膨張して発泡体となる発泡性材料からなる発泡性基材３と、その発泡性基材３を中空構造物２０の中空室２３内に取り付けるためのホルダ体２とを備えている。ホルダ体２は、発泡性基材３をその片面側において保持するホルダプレート４と、そのホルダプレート４を中空構造物２０の取付孔２４（図５，図６参照）に取り付けるための取付用クリップ５とを備えて構成されている。なお、このホルダ体２は、発泡性基材３を両面から挟むことのできる２枚のホルダプレートを備えて構成されてもよい。
【００１５】
図１に示すように、ホルダプレート４は、耐熱性合成樹脂（熱可塑性合成樹脂）の射出成形により略五角形状に形成された板状部材である。ホルダプレート４の略中央部には、発泡性基材３の一端に形成された爪部７（図３参照）を挿入可能な挿入孔６が設けられている。ホルダプレート４の一側面には、両面テープや接着剤等の接合手段、あるいは、ホルダプレート４の一側面側から延出して形成された係合爪（図示していない）の係合力により発泡性基材３が装着されている。
【００１６】
発泡性基材３は、前述したように、発泡性を有する発泡性材料が中空構造物２０の中空室２３の断面形状に対応した板状（プレート状）に形成されたものである。ここで用いている発泡性材料は、加熱により発泡膨張して発泡体となり、中空室２３を遮断、充填することで補強、防音、制振等の効果を高める材料が用いられる。さらに好ましくは、例えば、金属接着性を有する合成樹脂、発泡剤、ガラス繊維のような繊維状物質、等が混合され、１１０℃〜１９０℃前後の温度で発泡し、高剛性の発泡体となる発泡性材料が用いられる。このような接着性を有し、かつ、高剛性の発泡体となる発泡性材料は、例えば、特開平８−２０８８７１号公報、特開平１１−１５８３１３号公報等に開示されている。この発泡性基材３が、本発明における「遮断部材（プレート部材）」に対応している。
【００１７】
図１に示すように、ホルダプレート４と一体に設けられる取付用クリップ５は、略長方形の板状に形成された台座部８と、その台座部８の下面側から突出して設けられた脚部９と、その脚部９の先端部両側から折り返し状に延出して設けられた弾性係止片１０とを備えている。この取付用クリップ５は熱可塑性合成樹脂の射出成形により一体状に形成されている。この取付用クリップ５の脚部９の先端部が中空構造物２０の取付孔２４に挿入されると、弾性係止片１０が取付孔２４の孔縁部に弾性的に係止する（図５，図６参照）。これにより、中空室遮断具１が中空構造物２０の中空室２３内に取り付けられる。なお、取付用クリップ５は、ホルダプレート４と別体の部材として形成され、ホルダプレート４の下縁部に対して別体に設けられるようにしてもよい。
【００１８】
図５及び図６に示すように、中空構造物２０は、インナパネル２１とアウタパネル２２とが互いのフランジ部２１ｆ、２２ｆにおいてスポット溶接されて筒状とされたものであり、その内部には断面略七角形の形状を有する中空室２３が構成されている。中空室２３内に配設される発泡性基材３は、中空室２３の断面形状に対応した略七角形の板状に形成され、中空室２３の内周壁面との間に適宜の隙間が生じる寸法に設定されている。中空室遮断具１は、中空構造物２０の長手方向に対し略垂直に配置するようにして中空室２３内に取り付けられる。
【００１９】
図１，図３，図５に示すように、ホルダ体２によって中空構造物２０の中空室２３内に保持される発泡性基材３は、その左端側の端部が右端側に向けて折り曲げられることで屈曲状態とされている。発泡性基材３の左端側の端部には、ホルダプレート４の略中央部に形成された挿入孔６に挿入される爪部７が一体状に設けられている。爪部７が挿入孔６に挿入されると、この挿入孔６の上縁部６ａに対して爪部７が抜け止め状態で係合し、発泡性基材３の左端側の端部がホルダプレート４に対して固定される。これにより、発泡性基材３の左端側の端部が右端側に向けて折り曲げられた屈曲状態が維持される。
【００２０】
中空構造物２０が車両のボディの中空パネル（ボディピラー、ロッカパネル、ホイールハウス等）である場合、その車両ボディの組み付けが完了すると焼付け塗装が施される。その焼付け塗装の際の外部加熱によって、中空構造物２０の中空室２３内に取り付けられた中空室遮断具１が加熱される。
図２，図４，図６に示すように、中空室遮断具１が加熱されると、発泡性基材３の左端部に設けられた爪部７が徐々に軟化あるいは溶融する。これにより、挿入孔６の上縁部６ａに対する爪部７の係合が外れるので、屈曲状態であった発泡性基材３は、自身の持つ弾性的な復元力によって真っ直ぐな状態（伸張状態）に戻ることになる。
【００２１】
図５，図６に示すように、発泡性基材３が伸張状態である場合における中空室２３の遮断面積は、発泡性基材３が屈曲状態である場合における中空室２３の遮断面積よりも大きくなるように構成されている。ここでいう「遮断面積」とは、中空構造物２０の中空室２３内に発泡性基材３が配設された状態において、その中空室２３の断面のうち発泡性基材３によって覆われている部分（遮断されている部分）の面積のことである。
すなわち、図５に示すように、発泡性基材３が折り曲げられた屈曲状態では、破線で囲われた領域２５に相当する分だけ中空室２３の遮断面積が小さくなっている。一方、外部加熱により発泡性基材３が伸張状態に変化した後では、図６に示すように、発泡性基材３が中空室２３内において左右一杯に広がるので、発泡性基材３が屈曲状態であったときよりも中空室２３の遮断面積が大きくなっている。これにより、中空構造物２０の中空室２３内を発泡性基材３によってより隙間の無い状態で遮断することができるので、中空構造物２０の制振、防音等の効果がより一層高められる。
そして、発泡性基材３に対する外部からの加熱がさらに続けられると、発泡性基材３が発泡膨張して発泡体に変化する。これにより、中空構造物２０の中空室２３の断面を発泡体によってほとんど隙間の無い状態で遮断することが可能となっている。
【００２２】
以上説明したように、本実施の形態における中空室遮断具１によれば、外部加熱をきっかけとして発泡性基材３を屈曲状態から伸張状態に変化させることができるので、以下に説明するような効果が達成される。
すなわち、中空構造物２０が例えば車両ボディのピラー、ロッカーパネル等である場合には、車種毎に、また車両ボディの各部分毎にその断面形状や大きさ等が異なるのが通常である。したがって、中空構造物２０の形状によっては、中空室２３の内部に中空室遮断具１を挿入する作業が困難である場合もある。しかしながら、本実施の形態における中空室遮断具１によれば、外部加熱が行われる前は、発泡性基材３が屈曲状態になっているので、その発泡性基材３を中空構造物２０の中空室２３の内部に挿入する作業が極めて楽である。そして、外部加熱を行った後は、発泡性基材３が伸張状態に変化し、中空室２３の断面形状に対応して発泡性基材３が左右一杯に広がるので、中空構造物２０の中空室２３の断面をより隙間の無い状態で遮断することが可能である。
また、インナパネル２１に設けられた取付孔２４に対して中空室遮断具１を取り付けた後に、インナパネル２１及びアウタパネル２２を互いに接合して中空構造物２０を完成させるような場合であっても、発泡性基材３を屈曲状態にしておけば、インナパネル２１及びアウタパネル２２の接合作業の際に発泡性基材３が邪魔にならないという効果が達成される。
【００２３】
〔第２の実施の形態〕
図７〜図１０を参照しながら、以下、本発明の第２の実施の形態に係る中空構造物の中空室遮断具３１について説明する。
ここで、図７は、遮断プレート３３が折り曲げられて屈曲状態にある中空室遮断具３１の外観を示す斜視図である。また、図８は、遮断プレート３３が折り曲げられて屈曲状態とされる際の態様を▲１▼〜▲４▼に順に示す説明図である。図９は、中空構造物４０の中空室４３内に配設された中空室遮断具３１の正面図であり、遮断プレート３３が屈曲状態にある中空室遮断具３１を示している。図１０は、中空構造物４０の中空室４３内に配設された中空室遮断具３１の正面図であり、遮断プレート３３が伸張状態にある中空室遮断具３１を示している。
【００２４】
図７に示すように、本実施の形態に係る中空室遮断具３１は、中空構造物４０の中空室４３を遮断するための遮断プレート３３と、その遮断プレート３３を中空室４３内に取り付けるための取付用クリップ３２を備えて構成されている。
遮断プレート３３は、図８の▲１▼に示すように、熱可塑性樹脂により略四角形に形成された板状の部材であり、左右の両側部が内側に折り込まれて約１／３の大きさとされた後（図８中の▲１▼から▲２▼の状態）、上側から約１／３の位置において下側に向けて折り込まれ（図８中の▲２▼から▲３▼の状態）、さらに、上側から約１／２の位置において下側に向けて折り込まれることにより、最初の▲１▼の状態と比較すると約１／９の大きさに折り曲げられて屈曲状態とされている（図８中の▲３▼から▲４▼の状態）。この遮断プレート３３は、例えばポリエチレン、ポリプロピレン、ポリアミド、ＥＭＡ樹脂、ＥＶＡ樹脂等の適度に軟らかくかつ曲げ弾性のある熱可塑性合成樹脂により形成されている。この遮断プレート３３が、本発明における「遮断部材」に対応している。
このように、複数回折り曲げられて屈曲状態とされた遮断プレート３３の周囲には、その遮断プレート３３を屈曲状態において拘束するための拘束テープ３４が巻き付けられる。拘束テープ３４には、好ましくは遮断プレート３３よりも低い加熱温度で軟化あるいは溶融を開始する熱可塑性合成樹脂材料が用いられる。
なお、取付用クリップ３２は、第１の実施の形態における中空室遮断具１の取付用クリップ５とほぼ同様な形状を有しているので、ここでは詳細な説明を省略する。
【００２５】
図９及び図１０に示すように、中空構造物４０は、インナパネル４１とアウタパネル４２とが互いのフランジ部４１ｆ、４２ｆにおいてスポット溶接されて筒状とされたものであり、その内部には断面略四角形の形状を有する中空室４３が構成されている。中空室４３内に配設される遮断プレート３３は、中空室４３の断面形状に対応した略四角形の薄板状に形成され、中空室４３の内周壁面との間に適宜の隙間が生じる寸法に設定されている。中空室遮断具３１は、遮断プレート３３が中空構造物４０の長手方向に対し略垂直に配置するようにして中空室４３内に取り付けられる。
【００２６】
中空構造物４０が車両のボディの中空パネル（ボディピラー、ロッカパネル、ホイールハウス等）である場合、その車両ボディの組み付けが完了すると焼付け塗装が施される。その焼付け塗装の際の外部加熱によって、中空構造物４０の中空室４３内に取り付けられた中空室遮断具３１が加熱される。
中空室遮断具３１が加熱されると、遮断プレート３３の周りに巻き付けられた拘束テープ３４が徐々に軟化あるいは溶融し、拘束テープ３４による遮断プレート３３の拘束状態が解除される。すると、遮断プレート３３は、自身の持つ弾性的な復元力によって、折り曲げられる前のほぼ真っ直ぐで平らな状態（図８の▲１▼に示す状態）に戻ることになる。この遮断プレート３３がほぼ真っ直ぐで平らに復元した状態が、本発明における「伸張状態」に対応している。
【００２７】
図９，図１０に示すように、遮断プレート３３が伸張状態である場合における中空室４３の遮断面積は、遮断プレート３３が屈曲状態である場合における中空室４３の遮断面積よりも大きくなるように構成されている。ここでいう「遮断面積」とは、中空構造物４０の中空室４３内に遮断プレート３３が配設された状態において、その中空室４３の断面のうち遮断プレート３３によって覆われている部分（遮断されている部分）の面積のことである。
すなわち、図９に示すように、遮断プレート３３が折り曲げられた屈曲状態では、伸長状態と比較して約１／９の大きさに相当する分だけ中空室４３が遮断される。一方、外部加熱をきっかけとして遮断プレート３３が伸長状態に変化した後では、図１０に示すように、遮断プレート３３が中空室４３内において一杯に広がるので、遮断プレート３３が屈曲状態であったときよりも中空室４３の遮断面積が大きくなっている。これにより、中空構造物４０の中空室４３内を遮断プレート３３によってより隙間の無い状態で遮断することができるので、中空構造物４０の制振、防音等の特性がより効果的に高められる。
【００２８】
〔第３の実施の形態〕
図１１〜図１５を参照しながら、以下、本発明の第３の実施の形態に係る中空構造物の中空室遮断具５１について説明する。
ここで、図１１は、遮断シート５３が折り曲げられて屈曲状態にある中空室遮断具５１の外観を示す斜視図である。また、図１２は、遮断シート５３が伸張状態にある中空室遮断具５１の外観を示す斜視図である。図１３は、中空構造物６０の中空室６３内に配設された中空室遮断具５１の正面図であり、遮断シート５３が屈曲状態にある中空室遮断具５１を示している。図１４は、中空構造物６０の中空室６３内に配設された中空室遮断具５１の正面図であり、遮断シート５３が伸張状態にある中空室遮断具５１を示している。図１５は、遮断シート５３の周縁部に対して発泡性基材５８が取り付けられた中空室遮断具５１を示す斜視図である。
【００２９】
図１１，図１２に示すように、本実施の形態に係る中空室遮断具５１は、中空構造物６０の中空室６３を遮断するための遮断シート５３と、その遮断シート５３を中空室６３内に取り付けるための取付用クリップ５２を備えて構成されている。遮断シート５３は、例えばポリエチレンやポリプロピレン等の熱可塑性合成樹脂がシート状に形成された部材、あるいは、不織布、ポリウレタンシート等により形成された部材であり、その厚みは５ｍｍ以下程度に形成されているので適度な可撓性を有している。取付用クリップ５２は、第１の実施の形態における中空室遮断具１の取付用クリップ５とほぼ同様な形状を有しているので、ここでは詳細な説明を省略する。
取付用クリップ５２の上面からは断面略円形の支柱５４が延設されており、この支柱５４の先端部に対して略円筒状の基台部５５が設けられている。取付用クリップ５２、支柱５４、基台部５５は、耐熱性を有する合成樹脂材料により一体状に成形されている。基台部５５の前面側には、可撓性を有する遮断シート５３を屈曲状態及び伸張状態にそれぞれ保持するための複数本の傘骨５６が、その根元の部分が内部に埋め込まれた状態で取り付けられている。傘骨５６は、外部加熱により真っ直ぐな状態に復元することのできる形状記憶合金により針金状に形成されている。遮断シート５３は、この複数本の傘骨５６の周囲に巻かれるようにして熱溶着あるいは接着剤等の接合手段により接合されている。この複数本の傘骨５６及び遮断シート５３を合わせたものが、本発明における「遮断部材」に対応している。
【００３０】
図１３及び図１４に示すように、中空構造物６０は、インナパネル６１とアウタパネル６２とが互いのフランジ部６１ｆ、６２ｆにおいてスポット溶接されて筒状とされたものであり、その内部には断面略六角形の形状を有する中空室６３が構成されている。中空室６３内に配設される遮断シート５３は、伸張状態となって広がったときにその中空室６３の断面よりも若干大きくなるような寸法に設定されている。中空室遮断具５１は、インナパネル６１の底面に対して支柱５４が垂直となるようにして中空室６３内に取り付けられる。
【００３１】
図１１及び図１３に示すように、遮断シート５３が屈曲状態である場合には、複数本の傘骨５６が湾曲状に内側に曲げられて略円筒状の保持部材５７に対してその先端部が差し込まれている。この保持部材５７により、傘骨５６及び遮断シート５３が内側に曲げられて屈曲状態で保持されている。保持部材５７には、好ましくは遮断シート５３よりも低い加熱温度で軟化あるいは溶融を開始する熱可塑性合成樹脂材料が用いられる。
【００３２】
中空構造物６０が車両のボディの中空パネル（ボディピラー、ロッカパネル、ホイールハウス等）である場合、その車両ボディの組み付けが完了すると焼付け塗装が施される。その焼付け塗装の際の外部加熱によって、中空構造物６０の中空室６３内に取り付けられた中空室遮断具５１が加熱される。
中空室遮断具５１が加熱されると、図１２及び図１４に示すように、傘骨５６及び遮断シート５３を屈曲状態に保持する保持部材５７が徐々に軟化あるいは溶融し、保持部材５７による傘骨５６及び遮断シート５３の拘束状態が解除される。また、形状記憶合金により形成された複数本の傘骨５６は、外部加熱をきっかけとして曲げられた状態から真っ直ぐな状態に復元する。これにより、傘骨５６及び遮断シート５３は、中空構造物６０の中空室６３内においてその内周壁面に密着した状態となるまで一杯に広がることになる。すると、その中空室６３の断面が傘骨５６及び遮断シート５３によってほぼ隙間の無い状態で遮断される。中空室６３の断面がほぼ隙間の無い状態で遮断されると、中空構造物６０の制振、防音等の特性がより効果的に高められる。傘骨５６及び遮断シート５３が中空室６３内において広がった状態が、本発明おける「伸張状態」に対応している。
【００３３】
なお、上記第３の実施の形態では、複数本の傘骨５６が形状記憶合金により形成される例を示したが、例えばバネ鋼等の弾性を有する金属により形成された傘骨５６を用いてもよい。そうすれば、バネ鋼の弾性力により、曲げられた状態の傘骨５６を真っ直ぐの状態に復元させることができる。
【００３４】
また、第３の実施の形態の応用例として、図１５に示すように、遮断シート５３の周縁部に対して、外部加熱により発泡膨張して発泡体となる複数の発泡性基材５８を取り付けてもよい。そうすれば、遮断シート５３の周縁部と中空室６３の内周壁面との間を発泡体によって塞ぐことができる。これにより、中空構造物６０の中空室６３の断面をより確実に隙間の無い状態で遮断することができる。発泡性基材５８を遮断シート５３の周縁部に対して取り付けるためには、例えば、接着剤、溶着等の接合手段を用いることができる。
また、遮断シート５３自体を発泡性材料により形成すれば、遮断シート５３の周縁部に発泡性基材５８を取り付けなくとも、遮断シート５３自体が外部加熱により発泡膨張して発泡体になるので、中空構造物６０の中空室６３の断面を隙間の無い状態で遮断することが可能である。
【００３５】
なお、本発明は上記実施の形態に限定するものではない。
上記実施の形態では、遮断部材を中空室内に取付ける手段として取付用クリップ５，３２，５２が用いられる例を示したが、このような態様に限定するものではない。例えば、両面テープや磁石等を用いて遮断部材を中空室内に取り付けても良い。
【００３６】
また、第１の実施の形態では、屈曲状態に折り曲げられた発泡性基材３が、自身の持つ弾性的な復元力によって伸張状態に変化する例を示したが、このような態様に限定するものではない。例えば、発泡性基材３の内部に形状記憶合金やバネ鋼の板を埋め込んで、外部加熱によるこの形状記憶合金の復元力、あるいは、バネ鋼による弾性力により、発泡性基材３を伸張状態に変化させるようにしてもよい。
【００３７】
また、第１の実施の形態では、発泡性基材３を屈曲状態に維持するために、発泡性基材３の左端側に設けられた爪部７と挿入孔６の上縁部６ａとの係合を利用する例を示したが、このような態様に限定するものではない。例えば、発泡性基材３の左端側の端部を、ホルダプレート４の上面部に対して溶着することにより、発泡性基材３が折り曲げられた屈曲状態を維持するようにしても良い。
【００３８】
また、中空構造物２０，４０，６０が車両のボディピラー、ロッカーパネル、ルーフサイドパネル等である場合を例示したが、これに限るものではなく、例えば、建築物、船舶等の建造物等を構成する中空構造物に対しても本発明の中空室遮断具を適用することができる。
【００３９】
【発明の効果】
以上説明したように、本発明によれば、中空構造物の断面形状が種々異なったり複雑である場合であっても、その中空構造物の中空室内に容易に配設することのできる中空構造物の中空室遮断具を提供することができる。
【図面の簡単な説明】
【図１】発泡性基材が折り曲げられて屈曲状態にある中空室遮断具の外観を示す斜視図である。
【図２】発泡性基材が伸張状態にある中空室遮断具の外観を示す斜視図である。
【図３】図１に示す中空室遮断具のＡ−Ａ線に基づく断面図である。
【図４】図２に示す中空室遮断具のＢ−Ｂ線に基づく断面図である。
【図５】中空構造物の中空室内に配設された中空室遮断具の正面図であり、発泡性基材が屈曲状態にある中空室遮断具を示している。
【図６】中空構造物の中空室内に配設された中空室遮断具の正面図であり、発泡性基材が伸張状態にある中空室遮断具を示している。
【図７】遮断プレートが折り曲げられて屈曲状態にある中空室遮断具の外観を示す斜視図である。
【図８】遮断プレートが折り曲げられて屈曲状態とされる際の態様を▲１▼〜▲４▼に順に示す説明図である。
【図９】中空構造物の中空室内に配設された中空室遮断具の正面図であり、遮断プレートが屈曲状態にある中空室遮断具を示している。
【図１０】中空構造物の中空室内に配設された中空室遮断具の正面図であり、遮断プレートが伸張状態にある中空室遮断具を示している。
【図１１】遮断シートが折り曲げられて屈曲状態にある中空室遮断具の外観を示す斜視図である。
【図１２】遮断シートが伸張状態にある中空室遮断具の外観を示す斜視図である。
【図１３】中空構造物の中空室内に配設された中空室遮断具の正面図であり、遮断シートが屈曲状態にある中空室遮断具を示している。
【図１４】中空構造物の中空室内に配設された中空室遮断具の正面図であり、遮断シートが伸張状態にある中空室遮断具を示している。
【図１５】遮断シートの周縁部に対して発泡性基材が取り付けられた中空室遮断具を示す斜視図である。
【符号の説明】
１，３１，５１　…中空室遮断具
３　…発泡性基材（遮断部材）
４　…ホルダプレート
５，３２，５２　…取付用クリップ
２０，４０，６０　…中空構造物
２３，４３，６３　…中空室
３３　…遮断プレート（遮断部材）
３４　…拘束テープ
５３　…遮断シート（遮断部材）
５６　…傘骨（遮断部材）
５７　…保持部材
【図１】
2004144848.tif 000003
【図２】
2004144848.tif 000004
【図３】
2004144848.tif 000005
【図４】
2004144848.tif 000006
【図５】
2004144848.tif 000007
【図６】
2004144848.tif 000008
【図７】
2004144848.tif 000009
【図８】
2004144848.tif 000010
【図９】
2004144848.tif 000011
【図１０】
2004144848.tif 000012
【図１１】
2004144848.tif 000013
【図１２】
2004144848.tif 000014
【図１３】
2004144848.tif 000015
【図１４】
2004144848.tif 000016
【図１５】
2004144848.tif 000017